(57)【特許請求の範囲】
【請求項１】
記録部材を再生する再生装置において、
前記再生装置内への記録部材の出し入れを検出する検出スイッチと、
前記再生装置内へ挿入された記録部材を再生位置に搬入すると共に、記録部材を再生位置から再生装置外へ搬出するローディング機構と、
前記ローディング機構を駆動する駆動源と、
前記記録部材を再生させる再生モードから他の記録部材の動作モードまたはラジオの受信モードに切り換えるモード切換スイッチと、
前記検出スイッチが前記記録部材の挿入を検出した際、前記駆動源を駆動させると共に、前記ローディング機構の動作完了前に前記モード切換スイッチにより前記記録部材を再生させる再生モードから他の記録部材の動作モードまたはラジオの受信モードに切り換えられたとき、所定時間経過後に前記駆動源の駆動を停止する制御手段と
を備えた再生装置。
【請求項２】
制御手段が、検出スイッチにより記録部材の挿入が検出されたときに駆動源を駆動させると共に、所定時間の間に、検出スイッチにより記録部材の挿入が検出されなくなったとき、駆動源による駆動を停止させることを特徴とする請求項１記載の再生装置。
【請求項３】
記録部材を排出するためのエジェクトスイッチを備え、
制御手段が、エジェクトスイッチが押されたときに駆動源を駆動させると共に、所定時間の間に、検出スイッチにより記録部材の排出が検出されないとき、駆動源による駆動を停止させることを特徴とする請求項１または請求項２記載の再生装置。
【発明の詳細な説明】
【０００１】
【発明の属する技術分野】
この発明は、例えばカセットテープを再生する再生モードの他に例えばラジオの受信モードなどの複数のモードを有する再生装置に関するものである。
【０００２】
【従来の技術】
図１２は従来の再生装置の内部機構を示す図であり、図において、（ａ）はカセットテープ未装着の状態、（ｂ）はカセットテープ装着時の状態を示している。ここで、１００は紙面に対し垂直方向に移動可能なカセットホルダであり、このカセットホルダ１００に隣接してローディング・エジェクトアーム１０１が回転可能に取り付けられている。ローディング・エジェクトアーム１０１の先端部１０２には、カセットホルダ１００の移動方向に沿って設けられた溝１０３に係合する突起部（図示省略）が設けられている。また、ローディング・エジェクトアーム１０１の支点１０４には、装着されるカセットテープを戻す（排出する）方向に弾性力を付与するバネ１０５が取り付けられている。このバネ１０５は、ローディング機構１０６に設けられた突起部１０７に当接するようになっている。ローディング機構１０６の一部は突起部１０７を介してバネ１０５より作動するようになっている。
【０００３】
次に動作について説明する。
装置内にカセットテープが挿入されると、ローディング・エジェクトアーム１０１が矢印方向に回転し、バネ１０５が突起部１０７に当接し、挿入されようとするカセットテープに対して戻す方向に弾性力を付与しつつ、ローディング機構１０６を作動する。そして、図１２（ｂ）に示すように、カセットテープが装着され、ある程度ローディングが行われると、バネ１０５が突起部１０７から離れてフリーとなり、カセットテープを戻そうとする弾性力はなくなる。
【０００４】
【発明が解決しようとする課題】
従来の再生装置は以上のように構成されているので、例えばカセットテープを再生する再生モードの他にラジオの受信モードなどの複数のモードを有するような場合、ある程度ローディングが行われてカセットテープを戻そうとする弾性力はなくなっている最中に再生モードから他のモードに切り換えられたときに、その時点でローディング機構が停止し、しかもカセットテープを戻そうとする弾性力はなくなっており、その状態で、即ち非常に中途半端な状態でローディング機構が停止するなどの課題があった。
【０００５】
この発明は上記のような課題を解決するためになされたもので、ローディング機構が動作未完了な状態で停止するようなことがない再生装置を得ることを目的とする。
【０００６】
【課題を解決するための手段】
この発明に係る再生装置は、記録部材を再生する再生装置において、当該装置内への記録部材の出し入れを検出する検出スイッチと、装置内へ挿入された記録部材を再生位置に搬入すると共に、記録部材を再生位置から装置外へ搬出するローディング機構と、ローディング機構を駆動する駆動源と、記録部材を再生させる再生モードから他の記録部材の動作モードまたはラジオの受信モードに切り換えるモード切換スイッチと、検出スイッチが記録部材の挿入を検出した際、駆動源を駆動させると共に、ローディング機構の動作完了前にモード切換スイッチにより記録部材を再生させる再生モードから他の記録部材の動作モードまたはラジオの受信モードに切り換えられたとき、所定時間経過後に駆動源の駆動を停止する制御手段とを備えたものである。
【０００７】
この発明に係る再生装置は、制御手段が、検出スイッチにより記録部材の挿入が検出されたときに駆動源を駆動させると共に、所定時間の間に、検出スイッチにより記録部材の挿入が検出されなくなったとき、駆動源による駆動を停止させるものである。
【０００８】
この発明に係る再生装置は、記録部材を排出するためのエジェクトスイッチを備え、制御手段が、エジェクトスイッチが押されたときに駆動源を駆動させると共に、所定時間の間に、検出スイッチにより記録部材の排出が検出されないとき、駆動源による駆動を停止させるものである。
【０００９】
【発明の実施の形態】
以下、この発明の実施の一形態を説明する。
実施の形態１．
図１はこの発明の実施の形態１による再生装置の構成を示すブロック図である。図において、２は再生装置内への記録部材であるカセットテープ１（再生位置では「１’」とする。）の出し入れを検出する検出スイッチとしてのスイッチ部材、３は再生装置内へ挿入されたカセットテープ１を再生位置に搬入すると共に、カセットテープ１を再生位置から再生装置外へ搬出するローディング機構としてのローディングエジェクト機構部である。また、４は各種制御を行うマイコンからなる制御手段としての制御回路部、５はローディングエジェクト機構部３を駆動する駆動源としてのモータ部、６はモードを切り換えるモード切換スイッチとしてのスイッチ部材である。この再生装置は、カセットテープを再生する再生モードの他にラジオの受信モードなどの複数のモードを有する。スイッチ部材６によりいずれか１つのモードを選択することができる。
【００１０】
図２は図１に示した制御回路部４の機能構成を具体的に示したブロック図である。図において、７はスイッチ部材２からのパックイン検出信号（Ｔ−ＬＯＡＤ）を検出するパックイン検出信号検出部である。パックイン検出信号は、カセットテープ１が挿入されたときにＬｏ、排出されたときにＨｉとなる。８はスイッチ部材６からのモード遷移指令信号を検出するモード遷移指令信号検出部である。９はメカ動作状態判断部、１０はメカ動作状態判断部９の指令に基づきモータ部５へ電源を供給するメカ電源回路１１をコントロールするメカ電源コントロール部である。メカ動作状態判断部９は、パックイン検出信号検出部７によりＬｏのパックイン検出信号が検出されたとき、メカ電源コントロール部１０及びメカ電源回路１１を介してモータ部５に電源を供給する。これによりパワーローディングが行われる。また、メカ動作状態判断部９は、Ｌｏのパックイン検出信号が検出された後にモード遷移指令信号検出部８により再生モードから他のモードに切り換えられたときは、その直後にモータ部５への電源の供給を停止するのではなく、所定時間経過後に、例えば２秒間経過後にモータ部５への電源の供給を停止するものである。なお、メカ電源コントロール部１０からメカ電源回路１１へ送られる制御信号を「Ｔ−ＯＮ」とする。Ｔ−ＯＮがＨｉのとき、モータ部５へ電源が供給され、Ｔ−ＯＮがＬｏのとき、モータ部５への電源の供給が停止される。
【００１１】
次に動作について説明する。
図３はこの実施の形態１による再生装置の動作を示すフローチャートである。制御回路部４は、Ｌｏのパックイン検出信号が検出されると、メカ電源回路１１を介してモータ部５に電源を供給し、パワーローディングを開始する（ステップＳＴ３０１）。
【００１２】
このようなパワーローディングが開始されると、まずカセットテープ１の再生モードか否かをチェックし（ステップＳＴ３０２）、カセットテープ１の再生モードである場合には、モータ部５への電源の供給を続ける（ステップＳＴ３０３）。即ち、図４のタイミングチャートに示すように、Ｔ−ＬＯＡＤがＬｏの間は、常にＴ−ＯＮがＨｉとなる。ただし、Ｔ−ＬＯＡＤがＬｏになってからＴ−ＯＮがＨｉになるまでに、制御回路４がチャタリングによる信号を受付けない１００ｍｓｅｃ程度のチャタリングタイムがある。
【００１３】
一方、上記ステップＳＴ３０２でカセットテープ１の再生モードでなくなったことが判断された場合、すなわち再生モードから他のモードに遷移した場合には、パワーローディングの開始から２秒以内かを判断し（ステップＳＴ３０４）、ＹＥＳであればモータ部５へ電源を供給する（ステップＳＴ３０３）が、２秒経過後はモータ部５への電源の供給を停止する（ステップＳＴ３０５）。即ち、図５のタイミングチャートに示すように、Ｔ−ＬＯＡＤがＬｏになると（ただし、１００ｍｓｅｃ程度のチャタリングタイムがある。）、Ｔ−ＯＮがＨｉとなり、その２秒後にＴ−ＯＮがＬｏとなる。
【００１４】
以上のように、この実施の形態１によれば、パワーローディングの最中に再生モードから他のモードに遷移した場合に、パワーローディングの開始から２秒間モータ部５へ電源を供給するように構成したので、中途半端な状態でローディング機構が停止するという事態を防止できるという効果が得られる。
【００１５】
実施の形態２．
この発明の実施の形態２による再生装置の構成は、基本的には図１及び図２に示したものと同様であるが、制御回路部４が実施の形態１に示した動作の他に、スイッチ部材２によりカセットテープ１の挿入が検出されたときにモータ部５に電源を供給すると共に、所定時間の間に、例えば２秒経過の間に、スイッチ部材２によりカセットテープ１の挿入が検出されなくなったとき、モータ部５への電源の供給を停止するものである。
【００１６】
次に動作について説明する。
図６はこの実施の形態２による再生装置の動作を示すフローチャートである。制御回路部４は、パワーローディングを開始するためのＬｏのパックイン検出信号を検出すると（ステップＳＴ６０１）、メカ電源回路１１を介してモータ部５に電源を供給し、２秒間のタイマをセットする（ステップＳＴ６０２）。
【００１７】
そして、この２秒間の間にＨｉのパックイン検出信号を検出すると（ステップＳＴ６０３）、ローディングのエラーがあったものとみなしてローディングを中止するために、モータ部５への電源の供給を停止する（ステップＳＴ６０４）。
【００１８】
一方、この２秒間の間、Ｌｏのパックイン検出信号のままであるときはタイマオーバーかを判断し（ステップＳＴ６０５）、ＮＯであればステップＳＴ６０３に戻って上記の処理を行い、ＹＥＳであれば通常どおりローディングを終了する（ステップＳＴ６０６）。即ち、図７のタイミングチャートに示すように、Ｔ−ＬＯＡＤがＬｏになると（ただし、１００ｍｓｅｃ程度のチャタリングタイムがある。）、Ｔ−ＯＮがＨｉとなり、その後２秒間の間にＴ−ＬＯＡＤがＨｉになるとＴ−ＯＮがＬｏとなる。
【００１９】
以上のように、この実施の形態２によれば、パワーローディングを開始してから所定時間、例えば２秒間の間にＨｉのパックイン検出信号を検出するとローディングのエラーがあったものとみなしてローディングを中止するように構成したので、カセットテープが中途半端に挿入される、いわゆる「チョン押し」がされた場合であっても、ローディングが停止することなく動作し続けるような事態を防止できるという効果が得られる。
【００２０】
実施の形態３．
図８はこの発明の実施の形態３による再生装置の構成を示すブロック図である。図において、１２はカセットテープ１を排出するためのエジェクトスイッチとしてのスイッチ部材である。これ以外は図１に示したものと同様なので説明を省略する。
【００２１】
図９は図８に示した制御回路部４の機能構成を具体的に示したブロック図である。図において、１３はスイッチ部材１２からのエジェクト信号を検出するエジェクト信号検出部である。そして、メカ動作状態判断部９は、実施の形態１及び２に記載した動作の他に、スイッチ部材１２が押されたときにモータ部５へ電源を供給すると共に、所定時間の間、例えば５秒の間に、スイッチ部材２によりカセットテープ１が検出されないとき、モータ部５への電源の供給を停止するものである。
【００２２】
次に動作について説明する。
図１０はこの実施の形態３による再生装置の動作を示すフローチャートである。制御回路部４は、スイッチ部材１２よりエジェクトがされたことを検出すると（ステップＳＴ１００１）、メカ電源回路１１を介してモータ部５に電源を供給し、５秒間のタイマをセットする（ステップＳＴ１００２）。
【００２３】
そして、この５秒間の間にＨｉのパックイン検出信号を検出しないと、即ちいわゆるバックアウトを検出しないと（ステップＳＴ１００３）、エラータイマＯＶＥＲかを判断し（ステップＳＴ１００４）、ＮＯならばステップＳＴ１００３に戻って上記の処理を行い、ＹＥＳならば、上記ステップＳＴ１００３の判断結果がＹＥＳの場合とともに、エジェクト処理を終了し、モータ部５への電源の供給を停止する（ステップＳＴ１００５）。即ち、図１１のタイミングチャートに示すように、Ｌｏでエジェクト入力を示すＥＪ−ＫＥＹがＬｏになってから５秒の間にＴ−ＬＯＡＤがＨｉにならないときには、Ｔ−ＯＮがＬｏとなる。
【００２４】
以上のように、この実施の形態３によれば、エジェクトを開始してから所定時間、例えば５秒間の間にＨｉのパックイン検出信号できないときにはエジェクトが失敗したものとみなして電源供給を停止するように構成したので、エジェクトが中途半端に押された、いわゆる「チョン押し」がされた場合であっても、エジェクト動作を停止することなく動作し続けるような事態を防止できるという効果が得られる。
【００２５】
以上説明した実施の形態では再生される記録部材としてカセットテープを例示したが、ＣＤやＭＤなどの他の記録部材であっても同様に実施できる。
【００２６】
【発明の効果】
以上のように、この発明によれば、検出スイッチにより記録部材の挿入が検出されたときに駆動源を駆動させると共に、ローディング機構の動作完了前にモード切換スイッチにより記録部材を再生させる再生モードから他の記録部材の動作モードまたはラジオの受信モードに切り換えられたとき、所定時間経過後に駆動源の駆動を停止するように構成したので、中途半端な状態でローディング機構が停止するという事態を防止できるという効果がある。
【００２７】
この発明によれば、検出スイッチにより記録部材の挿入が検出されたときに駆動源を駆動させると共に、所定時間の間に、検出スイッチにより記録部材の挿入が検出されなくなったとき、駆動源による駆動を停止させるように構成したので、記録部材が中途半端に挿入された場合であっても、ローディングが停止することなく動作し続けるような事態を防止できるという効果がある。
【００２８】
この発明によれば、エジェクトスイッチが押されたときに駆動源を駆動させると共に、所定時間の間に、検出スイッチにより記録部材の排出が検出されないとき、駆動源による駆動を停止させるように構成したので、エジェクトが中途半端に押された場合であっても、エジェクト動作を停止することなく動作し続けるような事態を防止できる効果がある。
【図面の簡単な説明】
【図１】この発明の実施の形態１による再生装置の構成を示すブロック図である。
【図２】図１に示した制御回路部の機能構成を具体的に示したブロック図である。
【図３】この実施の形態１による再生装置の動作を示すフローチャートである。
【図４】この実施の形態１による再生装置の動作を示すタイミングチャートである。
【図５】この実施の形態１による再生装置の動作を示すタイミングチャートである。
【図６】この実施の形態２による再生装置の動作を示すフローチャートである。
【図７】この実施の形態２による再生装置の動作を示すタイミングチャートである。
【図８】この発明の実施の形態３による再生装置の構成を示すブロック図である。
【図９】図８に示した制御回路部の機能構成を具体的に示したブロック図である。
【図１０】この実施の形態３による再生装置の動作を示すフローチャートである。
【図１１】この実施の形態３による再生装置の動作を示すタイミングチャートである。
【図１２】従来の再生装置の内部機構を示す図である。
【符号の説明】
２  スイッチ部材（検出スイッチ）、３  ローディングエジェクト機構部（ローディング機構）、４  制御回路部（制御手段）、５  モータ部（駆動源）、６スイッチ部材（モード切換スイッチ）、１２  スイッチ部材（エジェクトスイッチ）。
【図１】
0003623361.tif 000002
【図２】
0003623361.tif 000003
【図３】
0003623361.tif 000004
【図４】
0003623361.tif 000005
【図５】
0003623361.tif 000006
【図６】
0003623361.tif 000007
【図７】
0003623361.tif 000008
【図８】
0003623361.tif 000009
【図９】
0003623361.tif 000010
【図１０】
0003623361.tif 000011
【図１１】
0003623361.tif 000012
【図１２】
0003623361.tif 000013